(57)【要約】      （修正有）【課題】見栄えが良好な発光演出を実現し得る遊技機を提供する。【解決手段】可動体の装飾体４８は、平板状の前壁部と、前壁部の外周縁部から裏側に延出するように設けられた外周壁部５５とから、後方に開口するトレー状に形成される。前壁部の前面には、外周壁部５５の形成位置に対応して発光面６２が設けられる。装飾体４８の裏側に配設された発光基板５０の裏面に、外周壁部５５に向けて側方から光を照射する第２発光体６１が設けられる。外周壁部５５には、第２発光体６１から照射された光を発光面６２に向けて反射する反射部６３が設けられている。【選択図】図５
2016214416.tif 000002
【特許請求の範囲】
【請求項１】
発光演出を行う遊技機において、
透光性の装飾部と、
前記装飾部の表側に設けられた発光面と、
前記装飾部における前記発光面と対応する位置に設けられ、該装飾部の裏側に延出する導光部と、
前記装飾部の裏側に設けられ、前記導光部に向けて側方から光を照射する発光体と、
前記導光部に設けられ、前記発光体からの光を前記発光面に向けて反射する反射部とを備える
ことを特徴とする遊技機。
【請求項２】
前記装飾部における前記発光面から外れた裏面に対向するように配設された発光基板と、
前記発光基板における前記装飾部と対向する表面に配設され、該装飾部における前記発光基板との対向領域を発光によって明輝させる発光手段とを備え、
前記発光基板の裏面に、該発光基板に沿って光を照射するように前記発光体を配設した請求項１記載の遊技機。
【請求項３】
前記反射部は、前記発光体からの光を前記発光面に向けて反射する反射角で傾斜する反射面を備え、該反射面は、前記発光体からの光を前記発光面の延在方向に偏向するように傾斜し、該反射面における光を前記発光面の延在方向に偏向するように傾斜する偏向角度は、前記発光体の光軸と交差する基準位置から離間するにつれて大きくなるよう構成される請求項１または２記載の遊技機。
【請求項４】
前記発光体は、前記導光部に沿って複数離間して設けられ、該導光部には、前記各発光体に対応する前記反射部が連続して設けられている請求項３記載の遊技機。
【請求項５】
前記装飾部は、平板状の板壁部と、該板壁部の外周縁から裏側に突出する前記導光部としての外周壁部とを備え、
前記板壁部における前記外周壁部と対応する表面に、前記発光面が該外周壁部に沿って設けられると共に、該外周壁部の突出端部に前記反射部が設けられている請求項１〜４の何れか一項に記載の遊技機。
【発明の詳細な説明】
【技術分野】
【０００１】
本発明は、発光体の光により演出を行い得る遊技機に関するものである。
【背景技術】
【０００２】
代表的な遊技機であるパチンコ機は、機内にセットされる遊技盤の盤面に画成した遊技領域の略中央位置に枠状の枠状装飾体(所謂センター役物)が配設されて、該枠状装飾体の開口部を介して複数の図柄を変動表示する液晶式やドラム式等の表示装置(表示手段)を後方から臨ませると共に、該遊技盤における枠状装飾体の下方位置に、パチンコ球(遊技球)の入賞により表示装置での図柄変動を開始させる始動入賞装置や大当り時等に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記表示装置での図柄変動演出に伴うリーチ演出等の各種の遊技演出がなされ、該表示装置に図柄が所定の組み合わせで停止することにより所謂大当りが発生し、前記特別入賞装置が開放して多数の賞球を獲得し得るよう構成される。
【０００３】
このようなパチンコ機では、各種の意匠を施した透光性の装飾部材を、裏側に配設したＬＥＤ等の発光体で照明する発光演出装置が配設されて、前記表示装置の図柄変動演出に合わせて発光体を点灯・点滅等することにより演出効果の向上を図ることが行われている(例えば、特許文献１参照)。
【先行技術文献】
【特許文献】
【０００４】
【特許文献１】特開２０１０−１７３５９号公報
【発明の概要】
【発明が解決しようとする課題】
【０００５】
特許文献１に開示のパチンコ機のように、装飾部材における明輝させようとする発光面に向けて発光体から光を照射する構成では、発光面と発光体との離間距離が短いと、該発光体からの光が点光となって見栄えが低下する問題がある。
【０００６】
すなわち本発明は、従来の技術に係る遊技機に内在する前記課題に鑑み、これを好適に解決するべく提案されたものであって、見栄えが良好な発光演出を実現し得る遊技機を提供することを目的とする。
【課題を解決するための手段】
【０００７】
前記課題を解決し、所期の目的を達成するため、本願の請求項１に記載の発明は、
発光演出を行う遊技機において、
透光性の装飾部(48)と、
前記装飾部(48)の表側に設けられた発光面(62)と、
前記装飾部(48)における前記発光面(62)と対応する位置に設けられ、該装飾部(48)の裏側に延出する導光部(55a)と、
前記装飾部(48)の裏側に設けられ、前記導光部(55a)に向けて側方から光を照射する発光体(61)と、
前記導光部(55a)に設けられ、前記発光体(61)からの光を前記発光面(62)に向けて反射する反射部(63)とを備えることを要旨とする。
【０００８】
これによれば、導光部に向けて側方から照射された発光体からの光を、反射部で発光面に向けて反射するよう構成したので、発光体からの光が発光面で点光となるのを抑制して良好な発光演出を行うことができる。
【０００９】
請求項２に記載の発明では、
前記装飾部(48)における前記発光面(62)から外れた裏面に対向するように配設された発光基板(50)と、
前記発光基板(50)における前記装飾部(48)と対向する表面に配設され、該装飾部(48)における前記発光基板(50)との対向領域を発光によって明輝させる発光手段(60)とを備え、
前記発光基板(50)の裏面に、該発光基板(50)に沿って光を照射するように前記発光体(61)を配設したことを要旨とする。
これによれば、発光基板の表面に装飾部の対向領域を明輝する発光手段を配設すると共に、該発光基板の裏面に発光面を明輝する発光体を配設したので、発光体および発光手段の光が干渉することはなく、発光面と対向領域とを区別して明輝することができ、発光演出の効果を向上し得る。
【００１０】
請求項３に記載の発明では、
前記反射部(63)は、前記発光体(61)からの光を前記発光面(62)に向けて反射する反射角で傾斜する反射面(63a,63b)を備え、該反射面(63a,63b)は、前記発光体(61)からの光を前記発光面(62)の延在方向に偏向するように傾斜し、該反射面(63a,63b)における光を前記発光面(62)の延在方向に偏向するように傾斜する偏向角度は、前記発光体(61)の光軸と交差する基準位置から離間するにつれて大きくなるよう構成されることを要旨とする。
これによれば、１つの発光体によって発光面の広い領域を略均等に明輝させることができる。
【００１１】
請求項４に記載の発明では、
前記発光体(61)は、前記導光部(55a)に沿って複数離間して設けられ、該導光部(55a)には、前記各発光体(61)に対応する前記反射部(63)が連続して設けられていることを要旨とする。
これによれば、長い発光面を略均等に明輝させることができ、発光演出の効果を向上し得る。
【００１２】
請求項５に記載の発明では、
前記装飾部(48)は、平板状の板壁部(54)と、該板壁部(54)の外周縁から裏側に突出する前記導光部としての外周壁部(55a)とを備え、
前記板壁部(54)における前記外周壁部(55a)と対応する表面に、前記発光面(62)が該外周壁部(55a)に沿って設けられると共に、該外周壁部(55a)の突出端部に前記反射部(63)が設けられていることを要旨とする。
これによれば、装飾部の縁部を明輝させることで、装飾部を際だたせることができ、演出効果を向上し得る。
【発明の効果】
【００１３】
本発明に係る遊技機によれば、見栄えが良好な発光演出を実現できる。
【図面の簡単な説明】
【００１４】
【図１】本発明の実施例に係るパチンコ機を示す正面図である。
【図２】実施例に係る遊技盤を示す概略正面図である。
【図３】実施例に係る枠状装飾体、透明パネル、遊技盤および設置部材を分解して前側から視た概略斜視図である。
【図４】実施例に係る第１可動演出装置を可動体が第１位置に移動した状態で示す概略斜視図である。
【図５】実施例に係る第１可動演出装置の可動体を後側から視た概略斜視図である。
【図６】実施例の可動体を分解して前側から視た概略斜視図である。
【図７】実施例の可動体を分解して後側から視た概略斜視図である。
【図８】実施例の光拡散部材を後側から視た拡大斜視図である。
【図９】実施例の光拡散部材を後側から視た要部拡大斜視図である。
【図１０】実施例の可動体を、演出用外周壁部における反射部の形成位置で縦断した要部背面図である。
【図１１】実施例の可動体を示す要部断面図である。
【図１２】実施例の装飾体を示す要部側面図であって、第２発光体からの光が反射部の各反射面で反射する方向を矢印で示している。
【発明を実施するための形態】
【００１５】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１６】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、複数種類の図柄を変動表示可能な表示装置１７が着脱可能に配設されている。また、前記中枠１２の前面側には、前記遊技盤２０を透視保護するガラス板や透明な合成樹脂材により形成された透視保護板１３ｂで前後に開口する窓部１３ａを覆うよう構成された前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。なお、実施例では、前記表示装置１７としては、各種図柄を表示可能な液晶パネルを収容ケースに収容した液晶表示装置が採用されるが、これに限られるものではなく、ドラム式の表示装置やドットマトリックス式の表示装置等の各種図柄を停止および変動表示可能な従来公知の各種の表示装置を採用し得る。
【００１７】
図１に示す如く、前記前枠１３には、窓口１３ａを囲繞するようランプ装置(発光手段)１８が配設されると共に、前枠１３の上部位置に、音声や効果音を出力可能なスピーカ(音出力手段)１９が配設されている。すなわち、前記ランプ装置１８に設けられたＬＥＤ等の発光体(図示せず)を点灯・点滅したり、前記スピーカ１９から適宜の音声を出力することで、前記表示装置１７で行われる各種の表示演出(図柄変動演出)に合わせて光による演出や音による演出を行い得るよう構成されている。また、前記上球受け皿１４は、前記前枠１３と別体に形成して中枠１２に対して開閉可能に組み付けるようにしてもよい。
【００１８】
また、前記前枠１３の右下方位置には、前記中枠１２に配設された打球発射装置(図示せず)を作動する操作ハンドル１６が設けられている。前記操作ハンドル１６は、左回転方向に付勢された操作レバー１６ａを備えており、該操作レバー１６ａを右回転するよう遊技者が回動操作することで前記打球発射装置が作動されて、前記上球受け皿１４に貯留されたパチンコ球が前記遊技盤２０に向けて発射されるようになっている。
【００１９】
(遊技盤２０について)
実施例の前記遊技盤２０は、アクリルやポリカーボネート等の光透過性の合成樹脂材から所定板厚の略矩形状に形成された平板状の透明板(遊技領域形成部材)であって、該遊技盤２０の裏側に前記表示装置１７が着脱自在に組み付けられている。遊技盤２０の前側には、図２に示す如く、前面(盤面)に配設された略円形状の案内レール２１によりパチンコ球が流下可能(移動可能)な遊技領域２３が画成されて、前記打球発射装置から発射されたパチンコ球が当該遊技領域２３内に打ち出されることで遊技が行われるようになっている。また、遊技盤２０の裏側に、該遊技盤２０との間に収容空間を画成する設置部材(収容空間画成部材)２２が配設されており、該収容空間に、発光により演出を行う発光演出装置や、後述する可動体４６の動作により演出を行う可動演出装置４３,４４等の各種演出手段が設置される。なお、前記表示装置１７は、設置部材２２の裏側に取り付けられて、該設置部材２２に設けた開口部(可視部)２２ａおよび枠状装飾体３４(後述)の開口部３４ａを介して遊技盤２０の前側から視認可能に臨むよう構成される。なお、遊技盤２０は、ベニヤ材や合成樹脂材等の非光透過性の板部材の表面に装飾シール等を貼付したものであってもよい。
【００２０】
前記遊技盤２０には、前後に貫通する装着口が前記遊技領域２３内に複数開設されて、各装着口に対して各種遊技構成部品が前側から取り付けられると共に、遊技領域２３の最下部位置には、該遊技領域２３に開口するアウト口２８が開設されており、遊技領域２３に打ち出されてアウト口２８に入球したパチンコ球が機外に排出されるよう構成される。また、前記遊技盤２０には、前記遊技領域２３内に多数の遊技釘２９が設けられると共に、後述する枠状装飾体３４の左側方に、遊技領域２３を流下するパチンコ球の接触に伴って回転する回転案内部材３０が回転自在に支持されており、遊技釘２９や回転案内部材３０との接触によりパチンコ球の流下方向が不規則に変化するよう構成されている。前記回転案内部材３０は、所謂「風車」とも称される部材であって、該回転案内部材３０の回転に伴ってパチンコ球を弾くように左右方向へ放出する部材である。なお、前記装着口の形成数は、遊技盤２０に対して取り付けられる各種遊技構成部品の個数や配設位置等により必要に応じて適宜決定される。
【００２１】
前記遊技盤２０には、図２,図３に示す如く、前記案内レール２１で囲まれた遊技領域２３の略中央の大部分が開口する装着口に、前後に開口する開口部３４ａが形成された枠状装飾体３４が取り付けられ、該枠状装飾体３４の開口部３４ａを介して表示装置１７の表示部１７ａが遊技盤２０の前面側に臨むよう構成されている。また、遊技盤２０には、枠状装飾体３４の外側における遊技領域２３に臨む位置に、該遊技領域２３を流下するパチンコ球が入賞可能な始動入賞部３１が配設されており、始動入賞部３１の始動入賞口へのパチンコ球の入賞を契機として、所定数のパチンコ球が賞球として前記上下の球受け皿１４,１５に払い出されると共に前記表示装置１７の表示部１７ａにおいて図柄変動演出が開始されるようになっている。また、枠状装飾体３４に、特別入賞部３２が配設されている。そして、表示装置１７での図柄変動演出の結果、該表示装置１７の表示部１７ａに所定の図柄組み合わせ(例えば同一図柄の三つ揃い等)で図柄が停止表示されることで所謂「大当り」が発生し、これにより特別入賞部３２へのパチンコ球の入賞が許容されて多数の賞球を獲得し得るようになっている。
【００２２】
(設置部材２２について)
前記設置部材２２は、図３に示す如く、前記遊技盤２０の外郭形状より僅かに小さな形状に形成された略矩形状の背面板と、該背面板の外周縁部から前方に突出する画壁部とから前方に開口した箱状に形成されて、該画壁部の開口前端部を遊技盤２０の裏面に当接させた状態で、当該遊技盤２０と設置部材２２とがネジにより固定される。そして、設置部材２２において遊技盤２０との間に画成される収容空間に、各種の発光演出装置や可動演出装置４３,４４等の演出手段が設置されて、設置部材２２を基材とする１つのユニットとして扱い得るようになっている。また、前記設置部材２２の背面板には、前記枠状装飾体３４の開口部３４ａと前後に整列する位置に、略矩形状の開口部２２ａが前後に開口するよう開設されると共に、該背面板の裏側に前記表示装置１７が着脱自在に取り付けられて、該開口部２２ａを介して表示装置１７の表示部１７ａが遊技盤２０の前側に臨むようになっている。
【００２３】
(枠状装飾体３４について)
前記遊技盤２０に配設される前記枠状装飾体３４は、図２,図３に示す如く、前記遊技盤２０に開設された前記装着口の内側に沿って延在する環状に形成された枠状基部３５と、該枠状基部３５に設けられて前記遊技盤２０の前面より前方に突出し、前記遊技領域２３と表示装置１７の表示部１７ａを区切って該遊技領域２３の内周を画成する庇状部３６と、該庇状部３６の後縁から外方に延出する薄板状の台板部３７とを備える。そして、前記枠状基部３５を装着口に挿入すると共に台板部３７を遊技盤２０の前面に当接した状態で、該台板部３７をネジ等の固定手段で遊技盤２０に固定することで、枠状装飾体３４が遊技盤２０に取り付けられる。ここで、前記庇状部３６は、図２に示す如く、前記枠状装飾体３４(枠状基部３５)の左側縁の略中間位置から上縁および右下縁に亘って延在するように設けられており、開口部３４ａ側、すなわち表示装置１７における表示部１７ａの前面側を横切ってパチンコ球が流下(落下)するのを規制している。
【００２４】
前記枠状装飾体３４には、図２,図３に示す如く、前記開口部３４ａの下側に、ステージ３９が配設されると共に、開口部３４ａの左側に、遊技領域２３に開口して該遊技領域２３を流下するパチンコ球を取り込んでステージ３９に案内する球導入部４０が設けられ、該球導入部４０からステージ３９に通出されたパチンコ球は、ステージ３９上を左右に転動した後に、前記始動入賞部３１が配設されている遊技領域２３に排出される。またステージ３９の後端縁には、左右方向の全長に亘って上側に向けて所定高さで立上がる透明壁４１が設けられ、ステージ３９上を転動するパチンコ球が表示装置１７の表示部１７ａ側に移動するのを該透明壁４１で防止している。実施例では、枠状装飾体３４の開口部３４ａの略全体を塞ぐ透明パネル４２が、該開口部３４ａの内側に配設されて、該透明パネル４２を介して表示装置１７の表示部１７ａが前側に臨むよう構成される。なお、透明パネル４２として、凹凸により文字等の図柄が形成された乱反射領域を有し、該透明パネル４２の端面から発光体の光をパネル内に導入することで、該光が乱反射領域で乱反射して図柄が発光表示されるものが採用されている。
【００２５】
(可動演出装置４３,４４について)
図３に示すように、前記設置部材２２の背面板における開口部２２ａの左側前面に、第１可動演出装置(演出装置)４３が配設されると共に、背面板における開口部２２ａの右側前面に、第２可動演出装置４４(演出装置)が配設されている。第１可動演出装置４３および第２可動演出装置４４は、基本的な構成は同じであるので、第１可動演出装置４３についてのみ説明し、第２可動演出装置４４の対応する部材や部位には同じ符号を付すものとする。第１および第２可動演出装置４３,４４は後述する発光体６０,６１を備え、該発光体６０,６１を発光することで発光演出を行い得るよう構成されている。
【００２６】
前記第１可動演出装置４３は、設置部材２２にネジ等により配設固定された支持基体４５と、該支持基体４５に支持されて該支持基体４５の前側を左右方向(遊技盤２０の盤面に沿う方向)に移動自在な可動体４６とを備える。支持基体４５には、図４に示す如く、左右方向に延在するガイド４７,４７が上下方向に離間して平行に配設されており、両ガイド４７,４７に可動体４６が移動自在に支持されている。可動体４６は、支持基体４５に配設された駆動モータにより作動される作動機構(何れも図示せず)に連繋されており、駆動モータを正転および逆転することで、可動体４６は、前記枠状装飾体３４における開口部３４ａの中央側の第１位置(図２の二点鎖線位置)および開口部３４ａの中央側から第１位置より離れる第２位置(図２の実線位置)の間を直線的に往復移動するよう構成される。実施例では、第１位置において可動体４６の略全体が開口部３４ａから前側に臨むと共に、第２位置では可動体４６の一部(第１可動演出装置４３は右端部、第２可動演出装置４４は左端部)が開口部３４ａから前側に臨んで、その他の部分が遊技盤２０の後側に重なるように設定されている。すなわち、可動体４６が第２位置に位置する状態では、枠状装飾体３４の開口部３４ａから一部のみが露出し、該可動体４６が第１位置に移動することで、枠状装飾体３４の開口部３４ａから略全体が露出して演出効果を高め得るようになっている。
【００２７】
(可動体４６について)
前記可動体４６は、図６,図７に示す如く、装飾体(装飾部)４８と、該装飾体４８の裏側に配設された光拡散部材４９と、該光拡散部材４９の裏側に配設された発光基板５０と、該発光基板５０の裏側に配設された支持部材５１とを備える。支持部材５１には、上下位置に案内体５２,５２が配設されて(図５参照)、可動体４６は、支持部材５１の両案内体５２,５２が前記ガイド４７,４７で支持された状態で第１位置と第２位置との間を移動するよう構成される。また、可動体４６は、装飾体４８と光拡散部材４９との間に光透過性の装飾シート５３を備えている。
【００２８】
(装飾体４８について)
前記装飾体４８は、光透過性の合成樹脂材から形成された全体が透光性の部材であって、平板状の前壁部(板壁部)５４と、該前壁部５４の外周縁から裏側に延出(突出)するよう形成された外周壁部５５とから、後方に開放するトレー状に形成されている。実施例では、装飾体４８は透明であって、前記前壁部５４の裏側に、前記装飾シート５３が位置して、該装飾シート５３の前面に描かれた意匠が前壁部５４を透して前側から視認可能に構成されている。そして、前記発光基板５０に設けられた後述する第１発光体６０を発光することで、装飾シート５３の意匠が裏側から照らされて演出効果を向上し得るようになっている。
【００２９】
前記装飾体４８における前壁部５４の裏面には、図７に示す如く、前記支持部材５１がネジ止めされる複数のボス５４ａが後方に向けて突設されている。各ボス５４ａは、略円柱状に形成されると共に、後端に開口するネジ孔が形成されており、前記装飾シート５３、光拡散部材４９および発光基板５０に対応して設けられる挿通孔５３ａ,４９ａ,５０ａにボス５４ａを挿通した状態で、該ボス５４ａの後端に支持部材５１をネジ止め固定することで、装飾シート５３、光拡散部材４９および発光基板５０は前壁部５４と支持部材５１とで挟持された状態で位置決めされるよう構成される。
【００３０】
ここで、前記装飾シート５３は、パチンコ機１０のモチーフとなるキャラクタを全体で表わす形状に形成されて、該装飾シート５３の外形形状と前記装飾体４８の前壁部５４における外周壁部５５で囲われた内側の領域(対向領域)の形状とが略一致している。すなわち、装飾体４８における前記第１位置において枠状装飾体３４の開口部３４ａ中央側に向く端縁(第１可動演出装置４３では右端縁、第２可動演出装置４４では左端縁)は、図２,図４等に示す如く、直線部分と湾曲部分とを組み合わせて左右方向に凹凸のある形状に形成されて、特徴的なデザインとなっている。そこで、以後の説明において、装飾体４８における特徴的な端縁を形成する前記外周壁部５５について、演出用外周壁部５５ａと指称して他の外周壁部５５と区別する場合がある。なお、演出用外周壁部５５ａおよび該演出用外周壁部５５ａが裏側に延出する前壁部５４の前面(表側)には、後述する第２発光体６１から照射された光の反射および拡散作用を備える反射部６３および発光面６２が設けられているが、該反射部６３および発光面６２については、第２発光体６１との関係で後述する。
【００３１】
(光拡散部材４９について)
前記光拡散部材４９は、光透過性(実施例では透明)の合成樹脂材から前記装飾シート５３の外形状状と同じ外形形状に形成された板状の部材であって、前記装飾体４８の各ボス５４ａと対応する位置に、該ボス５４ａが挿通可能な挿通孔４９ａが前後方向に貫通するように形成されている。そして、各挿通孔４９ａに対応するボス５４ａを挿通することで、当該光拡散部材４９が装飾体４８に対して位置決めされて、該光拡散部材４９の前面と装飾体４８における前壁部５４の裏面との間に前記装飾シート５３を挟持するよう構成される(図１１参照)。また、光拡散部材４９は、前記装飾体４８に収容されて、該光拡散部材４９の外周縁が、装飾体４８における外周壁部５５(演出用外周壁部５５ａを含む)の内側面に対向するよう構成される。
【００３２】
前記光拡散部材４９の前面は、全体が凹凸のない平坦面に形成されている。これに対し、光拡散部材４９の後面には、図８,図９に示す如く、外周縁に沿って後方に突出する周壁部４９ｂが形成されており、該周壁部４９ｂで囲われた領域に、凹凸による光拡散処理が施されている。また、光拡散部材４９の裏面には、前記発光基板５０の前面(表面)に実装された後述する各第１発光体６０に対応する位置に、後方に開口する収容部５６が凹設されている。実施例では、図８に示す如く、左右方向(可動体４６に往復移動方向)に離間して上下方向に略列をなすように収容部群が設けられており、当該光拡散部材４９における前記装飾体４８の演出用外周壁部５５ａから最も離間する収容部群の各収容部５６が周壁部４９ｂの形成位置に設けられるのに対し、他の収容部群の各収容部５６は、光拡散処理が施された領域(以後、光拡散処理領域と指称する場合がある)内に設けられている。そして、光拡散処理領域内に設けられた各収容部５６は、当該光拡散処理領域内の裏面より後方に周壁部４９ｂと同一レベルで突出する画壁５７の内側に形成されている。すなわち、周壁部４９ｂおよび画壁５７の後面位置は揃っており、該周壁部４９ｂおよび画壁５７の後面に発光基板５０の前面を当接した状態で、該発光基板５０の前面と光拡散処理領域の裏面との間に隙間を画成するよう構成される(図１１参照)。
【００３３】
前記各収容部５６の内部前面を画成する壁には、凹凸による光拡散処理が施された内拡散部５８が設けられている。この内拡散部５８は、図９に示す如く、断面三角形状で可動体４６の往復移動方向に延在する拡散凸部５８ａを、可動体４６の往復移動方向と交差する方向(実施例では上下方向)に複数並列に設けて構成されている。また、前記光拡散処理領域には、各収容部５６に対応して外拡散部５９が設けられており、該外拡散部５９は、対応する収容部５６を基点として前記演出用外周壁部５５ａ側に凸となる弧状の拡散凸部５９ａを可動体の往復移動方向に複数並列に設けて構成されており、収容部５６に収容された第１発光体６０からの光を、光拡散処理領域の面に沿う方向において対応する収容部５６から上下方向に広がるように拡散して外拡散部５９の全体が明輝し得るよう構成される。また、外拡散部５９における各拡散凸部５９ａは、図１１に示す如く、対応する収容部５６から離間するにつれて高さ寸法(前後寸法)が大きくなるよう設定される。なお、実施例では、光拡散処理領域の壁に溝を形成することで拡散凸部５９ａが形成されており、各溝の深さを、収容部５６から離間するにつれて深く形成することで、各拡散凸部５９ａの高さ寸法を異ならせている。従って、実施例の外拡散部５９を構成する各拡散凸部５９ａの後端の位置は同じで、該拡散凸部５９ａの前端位置が収容部５６から離間するにつれて前側に変位している。
【００３４】
ここで、前記周壁部４９ｂおよび画壁５７には光拡散処理は施されておらず、外拡散部５９で拡散する光は周壁部４９ｂおよび画壁５７の位置では拡散することなく透過して、該周壁部４９ｂおよび画壁５７は明輝しないよう構成される。また、各外拡散部５９は、隣接する外拡散部５９との境界において当該外拡散部５９で拡散する光の拡散が規制されて、収容部５６に収容されている第１発光体６０からの光を、対応する外拡散部５９でのみ拡散して、隣接する他の外拡散部５９へ光が漏れるのを抑制し得るようになっている。すなわち、第１発光体６０を個々に発光制御することで、対応する外拡散部５９のみを明輝し得るよう構成されている。
【００３５】
(発光基板５０について)
前記発光基板５０は、非光透過性の材料によって前記光拡散部材４９と略同じ外形形状に形成されると共に、前記装飾体４８の各ボス５４ａと対応する位置に、該ボス５４ａが挿通可能な挿通孔５０ａが前後方向に貫通するように形成されている。そして、各挿通孔５０ａに対応するボス５４ａを挿通することで、当該発光基板５０が装飾体４８に対して位置決めされて、該発光基板５０の前面と装飾体４８における前壁部５４の裏面との間に前記装飾シート５３および光拡散部材４９を重ねた状態で挟持するよう構成される。発光基板５０は、前記装飾体４８に収容されて(図１１参照)、該発光基板５０の外周縁が、装飾体４８における外周壁部５５(演出用外周壁部５５ａを含む)の内側面に対向するよう構成される。すなわち、発光基板５０は、装飾体４８の前壁部５４における演出用外周壁部５５ａと対応する前面に設けられた後述する発光面６２から外れた裏面に対向するように配置されて、該発光基板５０と発光面６２とは前後に重ならないよう構成されている。また、発光基板５０における演出用外周壁部５５ａに対向する外周縁は、前記光拡散部材４９の対応する外周縁に前後方向で揃う形状に形成されて、該発光基板５０の外周縁部の前面は、光拡散部材４９の前記周壁部４９ｂの裏面に当接するよう構成される。なお、発光基板５０における演出用外周壁部５５ａに対向する外周縁について、以後装飾側外周縁と指称する場合がある。
【００３６】
(第１発光体６０について)
前記発光基板５０における光拡散部材４９の裏面と対向する前面(光拡散部材４９を介して装飾体４８の前壁部５４と対向する表面)には、図６に示す如く、ＬＥＤやランプ等の第１発光体(発光手段)６０が、前記各収容部５６に対応する位置に設けられている。各第１発光体６０は、可動体４６の往復移動方向で、前記装飾側外周縁に向けて光を照射するように設けられている。すなわち、第１発光体６０は、発光基板５０の前面に沿って光を照射する姿勢で設けられている。また、第１発光体６０は、図１１に示す如く、対応する収容部５６に一部が収容されるように位置し、該第１発光体６０から照射された光が収容部５６に対応する外拡散部５９に側方(発光基板５０の前面に沿う方向)から照射されることで、該光が外拡散部５９で拡散して該外拡散部５９の形成領域の全体が明輝するよう構成される。すなわち、第１発光体６０を発光することで、光拡散部材４９を介して発光基板５０の前面と対向する前記前壁部５４の対向領域を明輝させ得るよう構成されている。
【００３７】
(第２発光体６１について)
前記発光基板５０の裏面には、図５,図７に示す如く、前記装飾側外周縁に近接する位置に、ＬＥＤやランプ等の第２発光体(発光体)６１が、該装飾側外周縁に沿って離間するように複数設けられている。各第２発光体６１は、前記演出用外周壁部５５ａに向けて側方から光を照射するように設けられている。すなわち、第２発光体６１は、発光基板５０の裏面に沿って光を照射する姿勢で設けられている。また、第２発光体６１は、演出用外周壁部５５ａにおける対応する部位に向けて光を照射する向きで配置される。すなわち、第２発光体６１は、図５に示す如く、演出用外周壁部５５ａの形状に合うように各位置において光の照射向きが異なる姿勢で配置されている。
【００３８】
(装飾体４８の発光面６２について)
前記装飾体４８における前記前壁部５４の前面(表面)には、図４に示す如く、前記演出用外周壁部５５ａの形成位置に対応して発光面６２が設けられている。すなわち、実施例では、図２に示す如く、前記可動体４６における枠状装飾体３４の開口部３４ａ中央側に位置する端縁部に沿って発光面６２が設けられている。発光面６２には、凹凸による光拡散処理が施されている。実施例では、発光面６２に、図１２に示す如く、断面が弧状で演出用外周壁部５５ａの厚み方向に延在する拡散凸部６２ａが、該演出用外周壁部５５ａの延在方向に並列に形成されており、演出用外周壁部５５ａによって発光面６２に導びかれた光を演出用外周壁部５５ａの延在方向に拡散し得るよう構成されている。
【００３９】
(装飾体４８の反射部６３について)
前記装飾体４８の演出用外周壁部５５ａは、図１１に示す如く、該装飾体４８の裏側に前記装飾シート５３および光拡散部材４９を介して配設された前記発光基板５０の裏面より後方に延出している。以後、演出用外周壁部５５ａにおける発光基板５０の裏面より後方に延出する部分について、延出壁部と指称して区別する場合がある。そして、発光基板５０の裏面に設けられた前記第２発光体６１は、前記延出壁部に向けて光を側方から照射するよう構成されている。この延出壁部の後端部(演出用外周壁部５５ａの突出端部)に、側方から照射された前記第２発光体６１からの光を前記発光面６２に向けて反射する反射部６３が設けられている。すなわち、演出用外周壁部５５ａは、前記第２発光体６１から延出壁部に側方から照射されて反射部６３で前側に向けて反射された光を発光面６２まで導びく導光部として機能している。
【００４０】
前記反射部６３は、各第２発光体６１に対応して演出用外周壁部５５ａの延在方向に所定領域で設けられている。すなわち、演出用外周壁部５５ａの延在方向に沿って所定間隔離間して配置されている各第２発光体６１に対応して演出用外周壁部５５ａの後端部に反射部６３が設けられている。実施例では、演出用外周壁部５５ａに全長に亘って反射部６３が隙間なく設けてある(図５参照)。
【００４１】
前記反射部６３は、前記第２発光体６１からの光を前記発光面６２に向けて反射する反射角で傾斜する複数の反射面６３ａ,６３ｂを、演出用外周壁部５５ａの延在方向に並ぶように備えている。具体的に、反射部６３は、図１０,図１２に示す如く、対応する第２発光体６１の光軸上に位置する基準反射面６３ａと、該基準反射面６３ａを挟んで演出用外周壁部５５ａの延在方向の両側に位置する複数の偏向反射面６３ｂとを備える。なお、図１０に光軸を一点鎖線で示している。そして、基準反射面６３ａおよび偏向反射面６３ｂの夫々は、図１１に示す如く、演出用外周壁部５５ａの板厚方向において、第２発光体６１に近接する端縁側から離間する端縁側に向かうにつれて前側に傾斜して、第２発光体６１からの光を前側(発光面６２)に向けて反射するよう構成されている。すなわち、反射面６３ａ,６３ｂの反射角は、演出用外周壁部５５ａの板厚方向での反射面６３ａ,６３ｂの傾斜角度である。より具体的には、演出用外周壁部５５ａの側面と反射面６３ａ,６３ｂとの交差角である。
【００４２】
また、前記偏向反射面６３ｂは、第２発光体６１からの光を発光面６２の延在方向に偏向するように傾斜している。具体的に、各偏向反射面６３ｂは、図１２に示す如く、演出用外周壁部５５ａの延在方向において基準反射面６３ａに近接する側の端縁から離間する側の端縁に向かうにつれて第２発光体６１側から離間するように傾斜している。また、各偏向反射面６３ｂにおける光を演出用外周壁部５５ａ(発光面６２)の延在方向に偏向するように傾斜する偏向角度は、第２発光体６１の光軸と交差する基準位置、すなわち基準反射面６３ａから離間する偏向反射面６３ｂほど大きくなるよう構成される。なお、実施例では、基準反射面６３ａについても、第２発光体６１の光軸と交差する基準位置(演出用外周壁部５５ａの延在方向の略中央)から両側に離れるにつれて第２発光体６１から離間するように傾斜しており、当該基準反射面６３ａに照射された光を発光面６２の延在方向に偏向するよう構成される。各第２発光体６１に対応する各反射部６３は、基準反射面６３ａおよび偏向反射面６３ｂが演出用外周壁部５５ａに沿って連続して設けられて、対応する第２発光体６１から照射された光を反射部６３で反射・偏向することで、当該反射部６３の形成領域より長い範囲の発光面６２を明輝させ得るよう構成される。
【００４３】
〔実施例の作用〕
次に、前述した実施例に係るパチンコ機１０の作用につき説明する。
【００４４】
前記可動体４６を第２位置から第１位置に移動した状態で、前記第１発光体６０を発光させると、該第１発光体６０からの光が前記外拡散部５９で拡散されて広汎に亘って前記光拡散部材４９が明輝することで、前記装飾シート５３に描かれている意匠が裏側から照明されて演出効果を向上し得る。また、第１発光体６０を発光した場合は、概ね対応する外拡散部５９のみが明輝するよう構成されているので、発光させる第１発光体６０を選択することで、装飾シート５３の特定領域のみを照明して興趣のある発光演出を行い得る。
【００４５】
前記発光基板５０に設けた前記第２発光体６１を発光させると、該光は発光基板５０に沿って前記演出用外周壁部５５ａに設けられた反射部６３に照射され、該反射部６３で前側に向けて光が反射される(図１１,図１２参照)。これにより、前記装飾体４８に設けられた発光面６２が明輝する。発光面６２は、装飾体４８における特徴的な形状に形成される外周端部に沿って設けられているので、装飾体４８の外周端部が明輝することで、前記装飾シート５３に描かれている意匠、すなわち装飾体４８の外形形状を際だたせることができ、演出効果を向上し得る。また、演出用外周壁部５５ａに対して第２発光体６１からの光を側方から照射し、該光を反射部６３で発光面６２に向けて反射するよう構成したので、第２発光体６１からの光が発光面６２で点光となるのを抑制して良好な発光演出を行うことができる。すなわち、見栄えが良好な発光演出を実現できる。
【００４６】
実施例の前記反射部６３は、図１０,図１２に示す如く、前記第２発光体６１からの光を発光面６２の延在方向に偏向する複数の反射面６３ａ,６３ｂを備えると共に、偏向反射面６３ｂの偏向角度を、基準反射面６３ａから離間するほど大きくなるよう構成しているので、１つの第２発光体６１によって発光面６２の広い領域を略均等に明輝させることができる。すなわち、少ない第２発光体６１で発光面６２の広い領域を明輝させ得るので、低コストで高い演出効果を得ることができる。また、反射部６３は、複数の反射面６３ａ,６３ｂが発光面６２の延在方向に連続して設けられているので、長い発光面６２を略均等に明輝させることができ、発光演出の効果をより向上し得る。
【００４７】
実施例では、非光透過性の発光基板５０の前面(表面)に、装飾体４８における装飾シート５３に対応する対向領域を明輝する第１発光体６０を配設すると共に、該発光基板５０の裏面に発光面６２を明輝する第２発光体６１を配設したので、第１発光体６０および第２発光体６１の光が干渉することはなく、発光面６２と対向領域とを区別して明輝することができ、発光演出の効果を向上し得る。
【００４８】
ここで、前記可動体４６は、図２に実線で示す第２位置において、前記発光面６２が枠状装飾体３４の開口部３４ａを介して前側から視認し得るように構成されているので、前記第２発光体６１を発光して発光面６２を明輝させることで、開口部３４ａから前側に臨む前記表示装置１７の表示部１７ａの外側を縁取る発光演出ができ、興趣を向上し得る。また、発光面６２を明輝させた状態で可動体４６が第２位置から第１位置に移動することで、表示部１７ａに表示されている図柄変動演出の演出領域の変化を分かり易くすることができる。
【００４９】
(変更例)
本願は前述した実施例の構成に限定されるものではなく、その他の構成を適宜に採用することができる。
(1) 実施例では、可動体を左右方向に移動する場合で説明したが、枠状装飾体における開口部の上縁側や下縁側に対応して可動体を設け、該可動体を上下方向に移動させる構成を採用し得る。この場合に、可動体を構成する装飾体における枠状装飾体の開口部中央側を向く下端縁または上端縁に沿って発光面を設けるようにすればよい。
(2) 実施例では、可動体に設けた装飾体(装飾部)を発光するよう構成したが、装飾体(装飾部)は、遊技盤や枠状装飾体あるいは前枠等に固定的に配設されたものであってもよい。
(3) 実施例では、発光基板の前面および裏面に、明輝させる対象部位が異なる発光体を設けたが、少なくとも装飾体に設けた発光面を明輝する発光体(実施例では第２発光体)を設けたものであればよい。
(4) 実施例では、装飾体の外周縁部に沿って発光面を設けたが、該発光面を装飾体の外周縁部以外の箇所に設けてもよい。例えば、装飾体における対向領域における所定位置の前面に発光面を設けると共に、該発光面から裏側に延出するように導光部を設け、該導光部に向けて側方から発光体の光を照射する構成を採用し得る。
(5) 実施例では、発光面を連続的に設けたが、複数の発光面を所定間隔離間して設け、各発光面に対応して導光部および発光体を設ける構成を採用し得る。
(6) 実施例では、装飾体の裏面に装飾シートを設けたが、該装飾シートを省略して装飾体に直接所要の意匠を描くようにしてもよい。そして、装飾体に直接意匠を描く場合に、該装飾体の表面に意匠に応じた凹凸を設けて立体感を与える構成を採用し得る。
(7) 遊技機としては、パチンコ機に限られるものではなく、アレンジボール機、パチンコ球やコイン等の遊技媒体を用いたスロットマシン等、その他各種の遊技機であってもよい。
【符号の説明】
【００５０】
４８ 装飾体(装飾部)
５０ 発光基板
５４ 前壁部(板壁部)
５５ａ 演出用外周壁部(導光部,外周壁部)
６０ 第１発光体(発光手段)
６１ 第２発光体(発光体)
６２ 発光面
６３ 反射部
６３ａ 基準反射面(反射面)
６３ｂ 偏向反射面(反射面)
【図１】
2016214416.tif 000003
【図２】
2016214416.tif 000004
【図３】
2016214416.tif 000005
【図４】
2016214416.tif 000006
【図５】
2016214416.tif 000007
【図６】
2016214416.tif 000008
【図７】
2016214416.tif 000009
【図８】
2016214416.tif 000010
【図９】
2016214416.tif 000011
【図１０】
2016214416.tif 000012
【図１１】
2016214416.tif 000013
【図１２】
2016214416.tif 000014